(57)【要約】【課題】構造を簡単化することでコストを抑えて実用性を高めるべくタッチコントロール装置とそのコントロール方法及び電子製品を提供する。【解決手段】ホスト５にタッチコントロール装置４を設けてウィンドウ画面５２のスクロールをコントロールし、該タッチコントロール装置４にはタッチコントロールユニット４１，演算ユニット４２，伝送インターフェイス４３を設け、物体の接触により該タッチコントロールユニット４１が生じたタッチシグナルを該演算ユニット４２が受信すると共に該物体が接触した位置に応じてコントロールシグナルを生じ、該伝送インターフェイス４３には複数の伝送ケーブルを設けることで、該演算ユニット４２で生じる各異なるコントロールシグナルを該伝送ケーブルにより該ホスト５にまで伝送する【選択図】  図３
2005202718.tif 000002
【特許請求の範囲】
【請求項１】
タッチコントロール装置と演算ユニットと該演算ユニットに接続される伝送インターフェイスとを具有し、ホストに設置されて該ホストのウィンドウ画面のスクロールをコントロールするタッチコントロール装置において、
物体が接触した後にタッチシグナルを生じる該タッチコントロール装置と、
該タッチコントロールユニットに電気的に接続され、該タッチシグナルを受信し、該物体が該タッチコントロールユニット上で接触した位置の際により対応するコントロールシグナルを生じる該演算ユニットと、
該異なる接触位置によって生じるコントロールシグナルの数量に等しい伝送ケーブルを具有し、該演算ユニットで生じた各ことなるコントロールシグナルをそれぞれ該対応する伝送ラインによって該ホストにまで伝送させる該伝送インターフェイスと、
を具有することを特徴とするタッチコントロール装置。
【請求項２】
前記タッチコントロール装置において、前記タッチコントロールユニットは第一タッチコントロールエリアと第二タッチコントロールエリアとを具有し、前記演算ユニットが該第一タッチコントロールエリアで生じたタッチシグナルを受信すると、前記ウィンドウ画面を上方にスクロールさせる第一コントロールシグナルを生じると同時に該伝送インターフェイス中の第一伝送ケーブルによって該ホストに伝送し、該演算ユニットが該第二タッチコントロールエリアで生じるタッチシグナルを受信すると、該ウィンドウ画面を下向きにスクロールさせる第二コントロールシグナルを生じると同時に該伝送インターフェイスの第二伝送ラインを経て該ホストにまで伝送することを特徴とする請求項１記載のタッチコントロール装置。
【請求項３】
前記タッチコントロール装置において、前記タッチコントロールユニットには更に第三タッチコントロールエリアと第四タッチコントロールエリアとを具有し、前記演算ユニットが該第三タッチコントロールエリアで発生するタッチシグナルを受信すると、これに対応して前記ウィンドウ画面を左向きにスクロールさせる第三コントロールシグナルを生じると同時に該伝送インターフェイスの第三伝送ケーブルによって該ホストにまで伝送し、該演算ユニットが該第四タッチコントロールエリアにより生じるタッチシグナルを受信すると、相対して該ウィンドウ画面を右向きにスクロールさせる第四コントロールシグナルを生じると同時に該伝送インターフェイスの第四伝送ケーブルにより該ホストにまで伝送することを特徴とする請求項２記載のタッチコントロール装置。
【請求項４】
前記タッチコントロール装置において、前記タッチコントロールユニットは該タッチコントロールエリアと相互に接続されて環状になり、密閉された状態となっていることを特徴とする請求項３記載のタッチコントロール装置。
【請求項５】
前記タッチコントロール装置において、前記タッチコントロールユニットは四角形に配列され、且つ環状を呈していることを特徴とする請求項４記載のタッチコントロール装置。
【請求項６】
前記タッチコントロール装置において、前記第一タッチコントロールエリアの一端は前記第二タッチコントロールエリアの一端と接続されており、前記第三タッチコントロールエリアと前記第四タッチコントロールエリアの一端は該第一タッチコントロールエリア及び該第二タッチコントロールエリアの接続個所に相互に接続されることを特徴とする請求項３記載のタッチコントロール装置。
【請求項７】
前記タッチコントロール装置において、前記第一タッチコントロールエリア及び第二タッチコントロールエリアは縦向きに延伸する長方形を呈しており、前記第三タッチコントロールエリア及び第四タッチコントロールエリアは横向きに延伸する長方形を呈していることを特徴とする請求項５或いは請求項６記載のタッチコントロール装置。
【請求項８】
前記タッチコントロール装置において、前記第一タッチコントロールエリア及び前記第二タッチコントロールエリアには複数の横向きスキャニングラインを具有し、且つ前記第三タッチコントロールエリアと第四タッチコントロールエリアには複数の縦向きスキャニングラインを具有することを特徴とする請求項７記載のタッチコントロール装置。
【請求項９】
前記タッチコントロール装置において、前記タッチコントロールユニットには更に第五タッチコントロールエリアと第六タッチコントロールエリアとを具有し、該第五タッチコントロールエリアには移動方向が上向き並びに逆の下向きが定義されており、該第六タッチコントロールエリアには移動方向が左向き並びに逆の右向きが定義されており、前記物体が該第五タッチコントロールエリア上で該上向きに沿って移動するとき、前記演算ユニットでは該ウィンドウ画面を上方に移動させる第一コントロールシグナルを発生すると同時に該伝送インターフェイスの第一伝送ケーブルを経て該ホストへ伝送し、該物体が該第五タッチコントロールエリア上にて該下向きに沿って移動するとき、該演算ユニットは前記ウィンドウ画面を下方に移動させる第二コントロールシグナルが生じると同時に前記伝送インターフェイスの第二伝送ケーブルを経て該ホストに伝送し、該物体が該第六タッチコントロールエリア上で該左向きに沿って移動するとき、該演算ユニットは該ウィンドウ画面を左方向にスクロールさせる第三コントロールシグナルを生じると同時に該伝送インターフェイスの第三伝送ケーブルを経て該ホストに伝送し、該物体が該第六タッチコントロールエリアで該右方向に沿って移動するとき、該演算ユニットは該ウィンドウ画面を該右方向へスクロールさせる第四コントロールシグナルを生じると同時に該伝送インターフェイスの第四伝送ケーブルを経て該ホストに伝送することを特徴とする請求項１記載のタッチコントロール装置。
【請求項１０】
前記タッチコントロール装置において、前記第五タッチコントロールエリアは立て向きに延伸する長方形であり、前記第六タッチコントロールエリアは横向きに延伸する長方形を呈していることを特徴とする請求項９記載のタッチコントロール装置。
【請求項１１】
前記タッチコントロール装置において、前記第五タッチコントロールエリアの一端は前記第六タッチコントロールエリアと相互に接続されていることを特徴とする請求項１０記載のタッチコントロール装置。
【請求項１２】
前記タッチコントロール装置において、前記第五タッチコントロールエリアの一端は前記第六タッチコントロールエリアの略中間位置に接続されていることを特徴とする請求項１０或いは請求項１１記載のタッチコントロール装置。
【請求項１３】
前記タッチコントロール装置において、前記第五タッチコントロールエリアは複数の横向きスキャニングラインを具有し、且つ前記第六タッチコントロールエリアには複数の縦向きスキャニングラインを具有することを特徴とする請求項１０記載のタッチコントロール装置。
【請求項１４】
前記タッチコントロール装置において、前記タッチコントロールユニットには更に第六タッチコントロールエリアが設けられ、該第六タッチコントロールエリアには左方向への移動、並びに該左方向と相対する右方向への移動が定義されており、前記物体が該第六タッチコントロールエリア上で該左方向へ移動するとき、前記演算ユニットは該ウィンドウ画面を左向きにスクロールする第三シグナルを生じると同時に該伝送インターフェイスの第三伝送ケーブルを経て該ホストに伝送し、前記物体が該第六タッチコントロールエリア上で該右方向に沿って移動するとき、該演算ユニットは該ウィンドウ画面を右方向にスクロールさせる第四コントロールシグナルを生じると同時に該伝送インターフェイスの第四伝送ケーブルを経て該ホストに伝送することを特徴とする請求項２記載のタッチコントロール装置。
【請求項１５】
前記タッチコントロール装置において、前記第一タッチコントロールエリアと第二タッチコントロールエリアが並列して縦向きに延伸する長方形を呈しており、且つ前記第六タッチコントロールエリアが該第一タッチコントロールエリアと第二タッチコントロールエリア間にて横向きに延伸する長方形を呈していることを特徴とする請求項１４記載のタッチコントロール装置。
【請求項１６】
前記タッチコントロール装置において、前記第六タッチコントロールエリアの両端は、それぞれ前記第一タッチコントロールエリアと前記第二タッチコントロールエリアの同じ側の一端と接続されることを特徴とする請求項１５記載のタッチコントロール装置。
【請求項１７】
前記タッチコントロール装置において、前記第一タッチコントロールエリアと第二タッチコントロールエリアには複数の横向きのスキャニングラインを具有し、且つ前記第六タッチコントロールには複数の縦向きのスキャニングラインを具有することを特徴とする請求項１５記載のタッチコントロール装置。
【請求項１８】
前記タッチコントロール装置において、前記タッチコントロールシグナルは少なくとも一つのパルスを含むパルスシグナルであることを特徴とする請求項１記載のタッチコントロール装置。
【請求項１９】
前記タッチコントロールシグナルにおいて、前記演算ユニットは更に前記物体を該タッチコントロールユニット上の移動量を該対応するコントロールシグナル中にアウトプットすることを特徴とする請求項１８記載のタッチコントロール装置。
【請求項２０】
前記タッチコントロール装置において、
前記演算ユニットがアウトプットするコントロールシグナル内のパルス数は前記物体が該タッチコントロールユニット上の移動量の増加に伴って増えることを特徴とする請求項１９記載のタッチコントロール装置。
【請求項２１】
前記パルスシグナルは直角パルスシグナルであることを特徴とする請求項１８記載のタッチコントロール装置。
【請求項２２】
タッチコントロール装置のコントロール方法において、ホストに設置するのに相応しく、且つ該ホストのウィンドウ画面スクロールをコントロールすべく、該コントロール方法にはステップＡとステップＢとステップＣとを含み、
該タッチコントロールユニット、及び該タッチコントロールユニットと電気的に接続された演算ユニット、並びに該演算ユニットに接続され且つ複数の伝送ケーブルを具有するインターフェイスを提供することにより、該タッチコントロールユニットが物体の接触を受けた際に対応するタッチシグナルを生じさせる該ステップＡと、
該演算ユニットが該タッチシグナルを受信すると同時に、該物体が該タッチコントロールユニット上で接触した位置の差異により対応した異なるコントロールシグナルを生じる該ステップＢと、
該演算ユニットで生じる異なるコントロールシグナルをそれぞれ対応する伝送ケーブルを経ることで該ホストにまで伝送する該ステップＣと、
を含むことを特徴とするタッチコントロール装置のコントロール方法。
【請求項２３】
前記コントロール方法において、前記ステップＡ中の前記タッチコントロールユニットには第一タッチコントロールエリアと第二タッチコントロールエリアとを具有し、前記伝送インターフェイスには第一伝送インターフェイスと第二伝送インターフェイスとを含み、
前記演算ユニットが該第一コントロールエリア或いは第二コントロールエリアより生ずるタッチシグナルを受信すると、ステップＢ中では対応すべく該演算ユニットが該ウィンドウ画面を上向きにスクロールさせる第一コントロールシグナルを発生し、該ウィンドウ画面を下向きにスクロールさせる第二コントロールシグナルを発生し、更にステップＣ中で該演算ユニットが該第一コントロールシグナルと第二コントロールシグナルとをそれぞれ該伝送インターフェイス中の該第一伝送ケーブルと第二伝送ケーブルとを経て該ホストにまで伝送することを特徴とする請求項２２記載のタッチコントロール装置のコントロール方法。
【請求項２４】
前記コントロール方法において、前記ステップＡ中の該タッチコントロールユニットには更に第三タッチコントロールエリアと第四タッチコントロールエリアとを具有し、前記伝送インターフェイスには第三伝送ケーブルと第四伝送ケーブルとを具有し、
前記演算ユニットが該第三タッチコントロールエリア或いは第四タッチコントロールエリアより生ずるタッチシグナルを受信すると、これに対応してステップＢ中では該演算ユニットが該ウィンドウ画面を左向きにスクロールさせる第三コントロールシグナル、並びに前記ウィンドウ画面を右向きにスクロールさせる第四コントロールシグナルを生じ、続いてステップＣ中で該演算ユニットが該第三コントロールシグナルと該第四コントロールシグナルとを該伝送インターフェイスの第三伝送ケーブルと第四電素ケーブルとを経て該ホストにまで伝送することを特徴とする請求項２３記載のタッチコントロール装置のコントロール方法。
【請求項２５】
前記コントロール方法において、前記ステップＡ中の前記タッチコントロールユニットには更に第五タッチコントロールエリアと第六タッチコントロールエリアとを具有し、
前記第五タッチコントロールエリアには上向きの移動、並びに該上向きとは逆の下向きの移動が定義されており、該第六タッチコントロールエリアには左向きの移動と該左向きとは逆の右向きの移動が定義されており、該物体が該第五タッチコントロールエリア上で該上向き，下向き，右向き，左向き方向に沿って移動する際、該ステップB中において該演算ユニットは該ウィンドウ画面を上方にスクロールさせる第一，第二，第三，第四コントロールシグナルを発生し、続いて該ステップCにおいて該演算ユニットは該第一，第二，第三，第四コントロールシグナルをそれぞれ該伝送インターフェイスの第一，第二，第三，第四伝送ケーブルによって該ホストに伝送することを特徴とする請求項２２記載のタッチコントロール装置のコントロール方法。
【請求項２６】
前記コントロール方法において、前記ステップＡ中の前記タッチコントロールユニットには第一タッチコントロールエリアと第二タッチコントロールエリアとを具有し、前記伝送インターフェイスには第一伝送インターフェイスと第二伝送インターフェイスとを含み、
前記演算ユニットが該第一コントロールエリア或いは第二コントロールエリアより生ずるタッチシグナルを受信すると、ステップＢ中では対応すべく該演算ユニットが該ウィンドウ画面を上向きにスクロールさせる第一コントロールシグナルを発生し、該ウィンドウ画面を下向きにスクロールさせる第二コントロールシグナルを発生し、更にステップＣ中で該演算ユニットが該第一コントロールシグナルと第二コントロールシグナルとをそれぞれ該伝送インターフェイス中の該第一伝送ケーブルと第二伝送ケーブルとを経て該ホストにまで伝送するタッチコントロール装置のコントロール方法において、該ステップＡ中の該タッチコントロールユニットには更に第六タッチコントロールエリアを具有し、
該第六タッチコントロールエリアには左向きの移動及び該左向きとは逆の右向きの移動が定義されており、該物体が該第六タッチコントロールエリア上で該左向き或いは右向きの移動方向に沿って移動するとき、該ステップＢでは該演算ユニットが前記ウィンドウ画面を左向き或いは右向きにスクロールさせる第三，第四コントロールシグナルを生じ、続いて該ステップＣ中で該演算ユニットが該第三，第四コントロールシグナルを該伝送インターフェイスの該第三，第四伝送ケーブルを通じて該ホストにまで伝送することを特徴とするタッチコントロール装置の電子製品。
【請求項２７】
タッチコントロール装置のコントロール方法において、ホストに設置するのに相応しく、且つ該ホストのウィンドウ画面スクロールをコントロールすべく、該コントロール方法にはステップＡとステップＢとステップＣとを含み、
該タッチコントロールユニット、及び該タッチコントロールユニットと電気的に接続された演算ユニット、並びに該演算ユニットに接続され且つ複数の伝送ケーブルを具有するインターフェイスを提供することにより、該タッチコントロールユニットが物体の接触を受けた際に対応するタッチシグナルを生じさせる該ステップＡと、
該演算ユニットが該タッチシグナルを受信すると同時に、該物体が該タッチコントロールユニット上で接触した位置の差異により対応した異なるコントロールシグナルを生じる該ステップＢと、
該演算ユニットで生じる異なるコントロールシグナルをそれぞれ対応する伝送ケーブルを経ることで該ホストにまで伝送する該ステップＣと、
を含むタッチコントロール装置において、前記ステップＢ中の演算ユニットが生ずる各前記コントロールシグナルに少なくとも一つのパルスを含むパルスシグナルであることを特徴とするタッチコントロール装置の電子製品。
【請求項２８】
前記タッチコントロール装置において、
前記ステップＡ中の該物体の該タッチコントロールユニット上における移動量が、該ステップＢ中ではこれに対応するコントロールシグナルとなることを特徴とする請求項２７記載のタッチコントロール装置の電子製品。
【請求項２９】
前記タッチコントロール装置において、
前記ステップアＡ中の該物体の前記タッチコントロールユニット上での移動量が増加するとき、前記ステップＢ中の前記演算ユニットが相対してアウトプットするコントロールシグナル内のパルス数は伴って増加することを特徴とする請求項２８記載のタッチコントロール装置の電子製品。
【請求項３０】
タッチコントロール装置に連結される電子製品において、ウィンドウ画面を具有し、該ウィンドウ画面には本体とタッチコントロールユニットと演算ユニットと該演算ユニットに接続される伝送インターフェイスとを含み、
該本体と、
該本体上に位置し、物体が接触することでタッチシグナルを生じる該タッチコントロールユニットと、
該本体内に位置し、該タッチコントロールユニットと電気的に接続されてタッチシグナルを受信し、該物体が該タッチコントロールユニット上に接触した位置の差異によって対応するコントロールシグナルを生じる該演算ユニットと、
該本体内に位置し、且つ該接触する位置によって生じるコントロールシグナルの数量に等しい複数の伝送ケーブルを具有し、該演算ユニットで生じる異なるコントロールシグナルをそれぞれ対応する伝送ケーブルによってホストにまで伝送する該伝送インターフェイスと、
を具有することを特徴とするタッチコントロール装置の電子製品。
【請求項３１】
前記電子製品において、
前記タッチコントロールユニットには第一タッチコンロトールエリアと第二タッチコントロールエリアとを具有し、前記演算ユニットが該第一タッチコントロールエリアで生ずるタッチシグナルを受信すると、これに対応して前記ウィンドウ画面を上向きにスクロールさせる第一コントロールシグナルを生じ、前記伝送インターフェイス中の第一伝送ケーブルを経て該ホストにまで伝送し、該演算ユニットが該第二タッチコントロールエリアで生ずるタッチシグナルを受信するとこれに対応して該ウィンドウ画面を下向きにスクロールさせる第二コントロールシグナルを生じ、該伝送インターフェイスの第二電装ケーブルを経て該ホストにまで伝送することを特徴とする請求項３０記載のタッチコントロール装置の電子製品。
【請求項３２】
前記電子製品において、前記タッチコントロールユニットには更に第三タッチコントロールエリアと第四タッチコントロールエリアとを具有し、
前記演算ユニットが該第三タッチコントロールエリアで生じるタッチシグナルを受信すると、これに対応して前記ウィンドウ画面を左向きにスクロールさせる第三コントロールシグナルを生じ、前記伝送インターフェイスの第三伝送ケーブルを経て前記ホストにまで伝送し、前記演算ユニットが該第四タッチコントロールエリアで生ずるタッチコントロールシグナルを受信すると、これに対応して該ウィンドウ画面を右向きにスクロールさせる該第四コントロールシグナルを生じると共に該伝送インターフェイスの第四伝送ケーブルによって該ホストにまで伝送することを特徴とする請求項３２記載のタッチコントロール装置の電子製品。
【請求項３３】
前記電子製品において、
前記タッチコントロールユニットは該タッチコントロールエリアが相互に接続されることで密閉された環状を呈していることを特徴とする請求項３２記載のタッチコントロール装置の電子製品。
【請求項３４】
前記電子製品において、
該タッチコントロールユニットは長方形状に並ぶことで環状を呈していることを特徴とする請求項３３記載のタッチコントロール装置の電子製品。
【請求項３５】
前記電子製品において、
該第一タッチコントロールエリアの一端は該第二タッチコントロールエリアの一端と接続されており、該第三タッチコントロールエリアと該第四タッチコントロールエリアの一端は、皆該第一及び第二タッチコントロールエリアと相互に接続されていることを特徴とする請求項３２記載のタッチコントロール装置の電子製品。
【請求項３６】
前記電子製品中において、
前記第一及び第二タッチコントロールエリアが縦向きに延伸する長方形を呈しており、前記第三及び第四タッチコントロールエリアは横向きに延伸する長方形を呈していることを特徴とする請求項３４或いは請求項３５記載のタッチコントロール装置の電子製品。
【請求項３７】
前記電子製品において、
前記第一タッチコントロールエリア及び第二タッチコントロールエリアには複数の横向きのスキャニングラインを具有し、且つ前記第三タッチコントロールエリア及び前記第四タッチコントロールエリアには複数の縦向きのスキャニングラインを具有することを特徴とする請求項３６記載のタッチコントロール装置の電子製品。
【請求項３８】
前記電子製品において、前記タッチコントロールユニットには更に第五タッチコントロールエリアと第六タッチコントロールエリアとを具有し、
前記第五タッチコントロールエリアには上向きの移動と該上向きとは逆の下向きの移動方向が定義されており、前記第六タッチコントロールエリアには左向きの移動と該左向きとは逆の右向きの移動方向が定義されており、前記物体が該ウィンドウ画面を上向きの移動方向に沿って移動するとき、前記演算ユニットは該ウィンドウ画面を上向きにスクロールさせる第一コントロールシグナルを生じ、前記伝送インターフェイスの第一伝送ケーブルを経て該ホストにまで伝送し、該物体が該第五タッチコントロールエリア上で該下向きの方向に沿って移動するとき、該演算ユニットは該ウィンドウ画面を下向きにスクロールさせる第二コントロールシグナルを生じ、該伝送インターフェイスの第二伝送ケーブルを経て該ホストにまで伝送し、該物体が該第六タッチコントロールエリア上で該左方向に沿って移動するとき、該演算ユニットは該ウィンドウ画面を左向きにスクロールさせる第三コントロールシグナルを生じ、該伝送インターフェイスの第三伝送ケーブルを経て該ホストにまで伝送し、該物体が該第六タッチコントロールエリア上で該右向きの方向に沿って移動するとき、該演算ユニットは該ウィンドウ画面を右向きにスクロールさせる第四コントロールシグナルを生じ、該伝送インターフェイスの第四伝送ケーブルを経て該ホストにまで伝送することを特徴とする請求項３０記載のタッチコントロール装置の電子製品。
【請求項３９】
前記電子製品において、
前記第五タッチコントロールエリアは縦向きに延伸する長方形を呈しており、該第六タッチコントロールは横向きに延伸する長方形を呈していることを特徴とする請求項３８記載のタッチコントロール装置の電子製品。
【請求項４０】
前記電子製品において、
該第五タッチコントロールエリアの一端は該第六タッチコントロールエリアと接続されていることを特徴とする請求項３９記載のタッチコントロール装置の電子製品。
【請求項４１】
前記電子製品において、
該第五タッチコントロールエリアの一端は、該第六タッチコントロールエリアの略中間個所にて接続されていることを特徴とする請求項３９或いは請求項４０記載のタッチコントロール装置の電子製品。
【請求項４２】
前記電子製品において、
前記第五タッチコントロールエリアには複数の横向きのスキャニングラインを具有し、且つ該第六タッチコントロールエリアには複数の縦向きのスキャニングラインを具有することを特徴とする請求項３９記載のタッチコントロール装置の電子製品。
【請求項４３】
前記電子製品において、前記タッチコントロールユニットには更に第六タッチコントロールエリアを具有し、
前記第六タッチコントロールユニットには左向きの移動と該左向きとは逆の右向きの移動が定義されており、前記物体が該第六タッチコントロールエリア上で該左向きの方向に沿って移動するとき、前記演算ユニットは該ウィンドウ画面を左向きにスクロールさせる第三コントロールシグナルを生じ、該伝送インターフェイスの第三伝送ケーブルを経て該ホストにまで伝送し、該物体が該第六タッチコントロールエリア上で該右向きに沿って移動するとき、該演算ユニットは該ウィンドウ画面を右向きにスクロールさせる第四タッチコントロールシグナルを生じ、該伝送インターフェイスの第四伝送ケーブルを経て該ホストにまで伝送することを特徴とする請求項３１記載のタッチコントロール装置の電子製品。
【請求項４４】
前記電子製品において、
前記第一タッチコントロールエリアと前記第二タッチコントロールエリアは並列して縦向きに延伸する長方形を呈しており、前記第六タッチコントロールエリアは該第一タッチコントロールエリアと第二タッチコントロールエリア間にて横向きに延伸することを特徴とする請求項４３記載のタッチコントロール装置の電子製品。
【請求項４５】
前記電子製品において、
前記第六タッチコントロールエリアの両端は、それぞれ前記第一タッチコントロールエリアと前記第二タッチコントロールエリアの同一側の一端に接続されることを特徴とする請求項４４記載のタッチコントロール装置の電子製品。
【請求項４６】
前記電子製品において、
前記第一タッチコントロールエリアと該第二タッチコントロールラインには複数の横向きのスキャニングラインを具有し、且つ該第六タッチコントロールエリアには複数の縦向きのスキャニングラインを具有することを特徴とする請求項４４記載のタッチコントロール装置の電子製品。
【請求項４７】
前記電子製品において、
前記コントロールシグナルには少なくとも一つのパルスを具有するパルスシグナルであることを特徴とする請求項３０記載のタッチコントロール装置の電子製品。
【請求項４８】
前記電子製品において、
前記演算ユニットは該物体の該タッチコントロールユニット上における移動量を対応するコントロールシグナル中にアウトプットすることを特徴とする請求項４６記載のタッチコントロール装置の電子製品。
【請求項４９】
前記電子製品において、
該演算ユニットがアウトプットするコントロールシグナル内のパルス数は該物体の該タッチコントロールユニット上における移動量の増加によって増加することを特徴とする請求項４７記載のタッチコントロール装置の電子製品。
【請求項５０】
前記電子製品において、
該パルスシグナルは直角パルスによるシグナルであることを特徴とする請求項４６記載のタッチコントロール装置の電子製品。
【発明の詳細な説明】
【技術分野】
【０００１】
本発明はタッチコントロール装置とそのコントロール方法及び電子製品に係り、特に内部の回路設計が簡略化され、操作が容易なタッチコントロール装置に関わる。
【背景技術】
【０００２】
現在のコンピュータ上に設けられているソフトは、主に一グラフィカルユーザーインターフェイス（GHI：Graphical User Interface）でウィンドウ画面に標示する方式により、使用者がマウスなどの器具を利用して平面移動させることにより入力を補助することでコンピュータ上のポインタをウィンドウ画面上にて操作するものであり、こういったビジュアル化された操作方法は各種ウィンドウ画面を具有する電子製品上に利用されている。
これは、図１に示すように、一般のソフト９を開いて文章を読むときを例に挙げると、ウィンドウ画面９１を具有し、文章の内容が長すぎる場合には該ソフト９が該ウィンドウ画面９１の側面及び下方に具有するY軸方向に沿った第一スクロールバー９２及びX軸方向に沿った第二スクロールバー９３により、使用者がマウス（図中なし）でポインタ８を第一スクロールバー９２，第二スクロールバー９３の位置にまで移動させ、該マウスをドラッグさせたりクリックさせることにより、上下或いは左右に移動させ、文章全体を見ることができるようにし、該画面９１のサイズによって文章を見る上での制限を排除することができる。
例えば、特許文献１（米国特許第5,943,052号公報）に開示され、図２に示すように、一種のスクロールバーコントロール方法によるものにおいては、主にウィンドウ画面９が設けられたコンピュータをタッチコントロールユニット６と電気的に接続し、且つ該タッチコントロールユニット６はパケットプロセッサ７を接続し、該パケットプロセッサ７は指や専用のペン（図中なし）を該タッチコントロールユニット６上で移動させるるとともに生ずるタッチシグナル６０をパケットに変え、更にコンピュータのオペレーティングシステムにより対応する座標位置８０に位置するポインタに変換するものがある。
上述のような図１，２に示すような公知における構造では、使用者は該タッチコントロールユニット６でポインタを指やペンで移動させることにより、該ポインタ８をウィンドウ画面９上の相対する位置に移動させる機能を具有するものとなっている。
【特許文献１】米国特許  第5,943,052号公報
【発明の開示】
【発明が解決しようとする課題】
【０００３】
しかし、上述のような公知における技術の欠点としては、タッチシグナルがパケットプロセッサを経てからパケットとなって伝送ケーブルによって伝送されるため、タップ＆ドラッグ或いはタップ、或いはダブルタップなどの異なるタッチ方式パケットを解読しなければならず、ハードの設計上が複雑且つ高価となっていることが挙げられる。
そこで、上述の欠点に鑑み、本発明の課題は、構造を簡単化することでコストを抑えて実用性を高めるべくタッチコントロール装置とそのコントロール方法及び電子製品を提供する。
【課題を解決するための手段】
【０００４】
前記課題を解決するために本発明は、ホストにタッチコントロール装置を設けることにより、ホストのウィンドウ画面のスクロールをコントロールし、且つタッチコントロール装置にはタッチコントロールユニット，電気的に該タッチコントロールユニットに接続された演算ユニット，及び該演算ユニットに電気的に接続された伝送インターフェイスを設け、物体が接触すると該タッチコントロールユニットがタッチシグナルを生じ、該演算ユニットは該タッチシグナルを受信すると該物体が該タッチコントロールユニット上で接触した位置の差異に応じて異なるコントロールシグナルを生じ、また該伝送インターフェイスには該異なるタッチ位置により生ずるコントロールシグナルと等しい数である複数の伝送ケーブルを設けることで、該演算ユニットで生じる各異なるコントロールシグナルがそれぞれ対応する伝送ケーブルを経て該ホストにまで伝送されるようにする。
【０００５】
すなわち、請求項１の発明は、タッチコントロール装置と演算ユニットと該演算ユニットに接続される伝送インターフェイスとを具有し、ホストに設置されて該ホストのウィンドウ画面のスクロールをコントロールするタッチコントロール装置において、物体が接触した後にタッチシグナルを生じる該タッチコントロール装置と、該タッチコントロールユニットに電気的に接続され、該タッチシグナルを受信し、該物体が該タッチコントロールユニット上で接触した位置の際により対応するコントロールシグナルを生じる該演算ユニットと、該異なる接触位置によって生じるコントロールシグナルの数量に等しい伝送ケーブルを具有し、該演算ユニットで生じた各ことなるコントロールシグナルをそれぞれ該対応する伝送ラインによって該ホストにまで伝送させる該伝送インターフェイスとを具有することを特徴とするタッチコントロール装置である。
【０００６】
請求項２の発明は、前記タッチコントロール装置において、前記タッチコントロールユニットは第一タッチコントロールエリアと第二タッチコントロールエリアとを具有し、前記演算ユニットが該第一タッチコントロールエリアで生じたタッチシグナルを受信すると、前記ウィンドウ画面を上方にスクロールさせる第一コントロールシグナルを生じると同時に該伝送インターフェイス中の第一伝送ケーブルによって該ホストに伝送し、該演算ユニットが該第二タッチコントロールエリアで生じるタッチシグナルを受信すると、該ウィンドウ画面を下向きにスクロールさせる第二コントロールシグナルを生じると同時に該伝送インターフェイスの第二伝送ラインを経て該ホストにまで伝送することを特徴とする請求項１記載のタッチコントロール装置である。
請求項３の発明は、前記タッチコントロール装置において、前記タッチコントロールユニットには更に第三タッチコントロールエリアと第四タッチコントロールエリアとを具有し、前記演算ユニットが該第三タッチコントロールエリアで発生するタッチシグナルを受信すると、これに対応して前記ウィンドウ画面を左向きにスクロールさせる第三コントロールシグナルを生じると同時に該伝送インターフェイスの第三伝送ケーブルによって該ホストにまで伝送し、該演算ユニットが該第四タッチコントロールエリアにより生じるタッチシグナルを受信すると、相対して該ウィンドウ画面を右向きにスクロールさせる第四コントロールシグナルを生じると同時に該伝送インターフェイスの第四伝送ケーブルにより該ホストにまで伝送することを特徴とする請求項２記載のタッチコントロール装置である。
請求項４の発明は、前記タッチコントロール装置において、前記タッチコントロールユニットは該タッチコントロールエリアと相互に接続されて環状になり、密閉された状態となっていることを特徴とする請求項３記載のタッチコントロール装置である。
請求項５の発明は、前記タッチコントロール装置において、前記タッチコントロールユニットは四角形に配列され、且つ環状を呈していることを特徴とする請求項４記載のタッチコントロール装置である。
請求項６の発明は、前記タッチコントロール装置において、前記第一タッチコントロールエリアの一端は前記第二タッチコントロールエリアの一端と接続されており、前記第三タッチコントロールエリアと前記第四タッチコントロールエリアの一端は該第一タッチコントロールエリア及び該第二タッチコントロールエリアの接続個所に相互に接続されることを特徴とする請求項３記載のタッチコントロール装置である。
請求項７の発明は、前記タッチコントロール装置において、前記第一タッチコントロールエリア及び第二タッチコントロールエリアは縦向きに延伸する長方形を呈しており、前記第三タッチコントロールエリア及び第四タッチコントロールエリアは横向きに延伸する長方形を呈していることを特徴とする請求項５或いは請求項６記載のタッチコントロール装置である。
請求項８の発明は、前記タッチコントロール装置において、前記第一タッチコントロールエリア及び前記第二タッチコントロールエリアには複数の横向きスキャニングラインを具有し、且つ前記第三タッチコントロールエリアと第四タッチコントロールエリアには複数の縦向きスキャニングラインを具有することを特徴とする請求項７記載のタッチコントロール装置である。
請求項９の発明は、前記タッチコントロール装置において、前記タッチコントロールユニットには更に第五タッチコントロールエリアと第六タッチコントロールエリアとを具有し、該第五タッチコントロールエリアには移動方向が上向き並びに逆の下向きが定義されており、該第六タッチコントロールエリアには移動方向が左向き並びに逆の右向きが定義されており、前記物体が該第五タッチコントロールエリア上で該上向きに沿って移動するとき、前記演算ユニットでは該ウィンドウ画面を上方に移動させる第一コントロールシグナルを発生すると同時に該伝送インターフェイスの第一伝送ケーブルを経て該ホストへ伝送し、該物体が該第五タッチコントロールエリア上にて該下向きに沿って移動するとき、該演算ユニットは前記ウィンドウ画面を下方に移動させる第二コントロールシグナルが生じると同時に前記伝送インターフェイスの第二伝送ケーブルを経て該ホストに伝送し、該物体が該第六タッチコントロールエリア上で該左向きに沿って移動するとき、該演算ユニットは該ウィンドウ画面を左方向にスクロールさせる第三コントロールシグナルを生じると同時に該伝送インターフェイスの第三伝送ケーブルを経て該ホストに伝送し、該物体が該第六タッチコントロールエリアで該右方向に沿って移動するとき、該演算ユニットは該ウィンドウ画面を該右方向へスクロールさせる第四コントロールシグナルを生じると同時に該伝送インターフェイスの第四伝送ケーブルを経て該ホストに伝送することを特徴とする請求項１記載のタッチコントロール装置である。
請求項１０の発明は、前記タッチコントロール装置において、前記第五タッチコントロールエリアは立て向きに延伸する長方形であり、前記第六タッチコントロールエリアは横向きに延伸する長方形を呈していることを特徴とする請求項９記載のタッチコントロール装置である。
請求項１１の発明は、前記タッチコントロール装置において、前記第五タッチコントロールエリアの一端は前記第六タッチコントロールエリアと相互に接続されていることを特徴とする請求項１０記載のタッチコントロール装置である。
請求項１２の発明は、前記タッチコントロール装置において、前記第五タッチコントロールエリアの一端は前記第六タッチコントロールエリアの略中間位置に接続されていることを特徴とする請求項１０或いは請求項１１記載のタッチコントロール装置である。
請求項１３の発明は、前記タッチコントロール装置において、前記第五タッチコントロールエリアは複数の横向きスキャニングラインを具有し、且つ前記第六タッチコントロールエリアには複数の縦向きスキャニングラインを具有することを特徴とする請求項１０記載のタッチコントロール装置である。
請求項１４の発明は、前記タッチコントロール装置において、前記タッチコントロールユニットには更に第六タッチコントロールエリアが設けられ、該第六タッチコントロールエリアには左方向への移動、並びに該左方向と相対する右方向への移動が定義されており、前記物体が該第六タッチコントロールエリア上で該左方向へ移動するとき、前記演算ユニットは該ウィンドウ画面を左向きにスクロールする第三シグナルを生じると同時に該伝送インターフェイスの第三伝送ケーブルを経て該ホストに伝送し、前記物体が該第六タッチコントロールエリア上で該右方向に沿って移動するとき、該演算ユニットは該ウィンドウ画面を右方向にスクロールさせる第四コントロールシグナルを生じると同時に該伝送インターフェイスの第四伝送ケーブルを経て該ホストに伝送することを特徴とする請求項２記載のタッチコントロール装置である。
請求項１５の発明は、前記タッチコントロール装置において、前記第一タッチコントロールエリアと第二タッチコントロールエリアが並列して縦向きに延伸する長方形を呈しており、且つ前記第六タッチコントロールエリアが該第一タッチコントロールエリアと第二タッチコントロールエリア間にて横向きに延伸する長方形を呈していることを特徴とする請求項１４記載のタッチコントロール装置である。
請求項１６の発明は、前記タッチコントロール装置において、前記第六タッチコントロールエリアの両端は、それぞれ前記第一タッチコントロールエリアと前記第二タッチコントロールエリアの同じ側の一端と接続されることを特徴とする請求項１５記載のタッチコントロール装置である。
請求項１７の発明は、前記タッチコントロール装置において、前記第一タッチコントロールエリアと第二タッチコントロールエリアには複数の横向きのスキャニングラインを具有し、且つ前記第六タッチコントロールには複数の縦向きのスキャニングラインを具有することを特徴とする請求項１５記載のタッチコントロール装置である。
請求項１８の発明は、前記タッチコントロール装置において、前記タッチコントロールシグナルは少なくとも一つのパルスを含むパルスシグナルであることを特徴とする請求項１記載のタッチコントロール装置である。
請求項１９の発明は、前記タッチコントロールシグナルにおいて、前記演算ユニットは更に前記物体を該タッチコントロールユニット上の移動量を該対応するコントロールシグナル中にアウトプットすることを特徴とする請求項１８記載のタッチコントロール装置である。
請求項２０の発明は、前記タッチコントロール装置において、前記演算ユニットがアウトプットするコントロールシグナル内のパルス数は前記物体が該タッチコントロールユニット上の移動量の増加に伴って増えることを特徴とする請求項１９記載のタッチコントロール装置である。
請求項２１の発明は、前記パルスシグナルは直角パルスシグナルであることを特徴とする請求項１８記載のタッチコントロール装置である。
【０００７】
請求項２２の発明は、タッチコントロール装置のコントロール方法において、ホストに設置するのに相応しく、且つ該ホストのウィンドウ画面スクロールをコントロールすべく、該コントロール方法にはステップＡとステップＢとステップＣとを含み、該タッチコントロールユニット、及び該タッチコントロールユニットと電気的に接続された演算ユニット、並びに該演算ユニットに接続され且つ複数の伝送ケーブルを具有するインターフェイスを提供することにより、該タッチコントロールユニットが物体の接触を受けた際に対応するタッチシグナルを生じさせる該ステップＡと、
該演算ユニットが該タッチシグナルを受信すると同時に、該物体が該タッチコントロールユニット上で接触した位置の差異により対応した異なるコントロールシグナルを生じる該ステップＢと、該演算ユニットで生じる異なるコントロールシグナルをそれぞれ対応する伝送ケーブルを経ることで該ホストにまで伝送する該ステップＣと、
を含むことを特徴とするタッチコントロール装置のコントロール方法である。
請求項２３の発明は、前記コントロール方法において、前記ステップＡ中の前記タッチコントロールユニットには第一タッチコントロールエリアと第二タッチコントロールエリアとを具有し、前記伝送インターフェイスには第一伝送インターフェイスと第二伝送インターフェイスとを含み、前記演算ユニットが該第一コントロールエリア或いは第二コントロールエリアより生ずるタッチシグナルを受信すると、ステップＢ中では対応すべく該演算ユニットが該ウィンドウ画面を上向きにスクロールさせる第一コントロールシグナルを発生し、該ウィンドウ画面を下向きにスクロールさせる第二コントロールシグナルを発生し、更にステップＣ中で該演算ユニットが該第一コントロールシグナルと第二コントロールシグナルとをそれぞれ該伝送インターフェイス中の該第一伝送ケーブルと第二伝送ケーブルとを経て該ホストにまで伝送することを特徴とする請求項２２記載のタッチコントロール装置のコントロール方法である。
請求項２４の発明は、前記コントロール方法において、前記ステップＡ中の該タッチコントロールユニットには更に第三タッチコントロールエリアと第四タッチコントロールエリアとを具有し、前記伝送インターフェイスには第三伝送ケーブルと第四伝送ケーブルとを具有し、前記演算ユニットが該第三タッチコントロールエリア或いは第四タッチコントロールエリアより生ずるタッチシグナルを受信すると、これに対応してステップＢ中では該演算ユニットが該ウィンドウ画面を左向きにスクロールさせる第三コントロールシグナル、並びに前記ウィンドウ画面を右向きにスクロールさせる第四コントロールシグナルを生じ、続いてステップＣ中で該演算ユニットが該第三コントロールシグナルと該第四コントロールシグナルとを該伝送インターフェイスの第三伝送ケーブルと第四電素ケーブルとを経て該ホストにまで伝送することを特徴とする請求項２３記載のタッチコントロール装置のコントロール方法である。
請求項２５の発明は、前記コントロール方法において、前記ステップＡ中の前記タッチコントロールユニットには更に第五タッチコントロールエリアと第六タッチコントロールエリアとを具有し、前記第五タッチコントロールエリアには上向きの移動、並びに該上向きとは逆の下向きの移動が定義されており、該第六タッチコントロールエリアには左向きの移動と該左向きとは逆の右向きの移動が定義されており、該物体が該第五タッチコントロールエリア上で該上向き，下向き，右向き，左向き方向に沿って移動する際、該ステップB中において該演算ユニットは該ウィンドウ画面を上方にスクロールさせる第一，第二，第三，第四コントロールシグナルを発生し、続いて該ステップCにおいて該演算ユニットは該第一，第二，第三，第四コントロールシグナルをそれぞれ該伝送インターフェイスの第一，第二，第三，第四伝送ケーブルによって該ホストに伝送することを特徴とする請求項２２記載のタッチコントロール装置のコントロール方法である。
【０００８】
請求項２６の発明は、前記コントロール方法において、前記ステップＡ中の前記タッチコントロールユニットには第一タッチコントロールエリアと第二タッチコントロールエリアとを具有し、前記伝送インターフェイスには第一伝送インターフェイスと第二伝送インターフェイスとを含み、前記演算ユニットが該第一コントロールエリア或いは第二コントロールエリアより生ずるタッチシグナルを受信すると、ステップＢ中では対応すべく該演算ユニットが該ウィンドウ画面を上向きにスクロールさせる第一コントロールシグナルを発生し、該ウィンドウ画面を下向きにスクロールさせる第二コントロールシグナルを発生し、更にステップＣ中で該演算ユニットが該第一コントロールシグナルと第二コントロールシグナルとをそれぞれ該伝送インターフェイス中の該第一伝送ケーブルと第二伝送ケーブルとを経て該ホストにまで伝送するタッチコントロール装置のコントロール方法において、該ステップＡ中の該タッチコントロールユニットには更に第六タッチコントロールエリアを具有し、該第六タッチコントロールエリアには左向きの移動及び該左向きとは逆の右向きの移動が定義されており、該物体が該第六タッチコントロールエリア上で該左向き或いは右向きの移動方向に沿って移動するとき、該ステップＢでは該演算ユニットが前記ウィンドウ画面を左向き或いは右向きにスクロールさせる第三，第四コントロールシグナルを生じ、続いて該ステップＣ中で該演算ユニットが該第三，第四コントロールシグナルを該伝送インターフェイスの該第三，第四伝送ケーブルを通じて該ホストにまで伝送することを特徴とするタッチコントロール装置の電子製品である。
請求項２７の発明は、タッチコントロール装置のコントロール方法において、ホストに設置するのに相応しく、且つ該ホストのウィンドウ画面スクロールをコントロールすべく、該コントロール方法にはステップＡとステップＢとステップＣとを含み、該タッチコントロールユニット、及び該タッチコントロールユニットと電気的に接続された演算ユニット、並びに該演算ユニットに接続され且つ複数の伝送ケーブルを具有するインターフェイスを提供することにより、該タッチコントロールユニットが物体の接触を受けた際に対応するタッチシグナルを生じさせる該ステップＡと、該演算ユニットが該タッチシグナルを受信すると同時に、該物体が該タッチコントロールユニット上で接触した位置の差異により対応した異なるコントロールシグナルを生じる該ステップＢと、該演算ユニットで生じる異なるコントロールシグナルをそれぞれ対応する伝送ケーブルを経ることで該ホストにまで伝送する該ステップＣと、を含むタッチコントロール装置において、前記ステップＢ中の演算ユニットが生ずる各前記コントロールシグナルに少なくとも一つのパルスを含むパルスシグナルであることを特徴とするタッチコントロール装置の電子製品である。
請求項２８の発明は、前記タッチコントロール装置において、前記ステップＡ中の該物体の該タッチコントロールユニット上における移動量が、該ステップＢ中ではこれに対応するコントロールシグナルとなることを特徴とする請求項２７記載のタッチコントロール装置の電子製品である。
請求項２９の発明は、前記タッチコントロール装置において、前記ステップアＡ中の該物体の前記タッチコントロールユニット上での移動量が増加するとき、前記ステップＢ中の前記演算ユニットが相対してアウトプットするコントロールシグナル内のパルス数は伴って増加することを特徴とする請求項２８記載のタッチコントロール装置の電子製品である。
請求項３０の発明は、タッチコントロール装置に連結される電子製品において、ウィンドウ画面を具有し、該ウィンドウ画面には本体とタッチコントロールユニットと演算ユニットと該演算ユニットに接続される伝送インターフェイスとを含み、該本体と、該本体上に位置し、物体が接触することでタッチシグナルを生じる該タッチコントロールユニットと、該本体内に位置し、該タッチコントロールユニットと電気的に接続されてタッチシグナルを受信し、該物体が該タッチコントロールユニット上に接触した位置の差異によって対応するコントロールシグナルを生じる該演算ユニットと、該本体内に位置し、且つ該接触する位置によって生じるコントロールシグナルの数量に等しい複数の伝送ケーブルを具有し、該演算ユニットで生じる異なるコントロールシグナルをそれぞれ対応する伝送ケーブルによってホストにまで伝送する該伝送インターフェイスと、を具有することを特徴とするタッチコントロール装置の電子製品である。
請求項３１の発明は、前記電子製品において、前記タッチコントロールユニットには第一タッチコンロトールエリアと第二タッチコントロールエリアとを具有し、前記演算ユニットが該第一タッチコントロールエリアで生ずるタッチシグナルを受信すると、これに対応して前記ウィンドウ画面を上向きにスクロールさせる第一コントロールシグナルを生じ、前記伝送インターフェイス中の第一伝送ケーブルを経て該ホストにまで伝送し、該演算ユニットが該第二タッチコントロールエリアで生ずるタッチシグナルを受信するとこれに対応して該ウィンドウ画面を下向きにスクロールさせる第二コントロールシグナルを生じ、該伝送インターフェイスの第二電装ケーブルを経て該ホストにまで伝送することを特徴とする請求項３０記載のタッチコントロール装置の電子製品である。
請求項３２の発明は、前記電子製品において、前記タッチコントロールユニットには更に第三タッチコントロールエリアと第四タッチコントロールエリアとを具有し、
前記演算ユニットが該第三タッチコントロールエリアで生じるタッチシグナルを受信すると、これに対応して前記ウィンドウ画面を左向きにスクロールさせる第三コントロールシグナルを生じ、前記伝送インターフェイスの第三伝送ケーブルを経て前記ホストにまで伝送し、前記演算ユニットが該第四タッチコントロールエリアで生ずるタッチコントロールシグナルを受信すると、これに対応して該ウィンドウ画面を右向きにスクロールさせる該第四コントロールシグナルを生じると共に該伝送インターフェイスの第四伝送ケーブルによって該ホストにまで伝送することを特徴とする請求項３２記載のタッチコントロール装置の電子製品である。
請求項３３の発明は、前記電子製品において、前記タッチコントロールユニットは該タッチコントロールエリアが相互に接続されることで密閉された環状を呈していることを特徴とする請求項３２記載のタッチコントロール装置の電子製品である。
請求項３４の発明は、前記電子製品において、該タッチコントロールユニットは長方形状に並ぶことで環状を呈していることを特徴とする請求項３３記載のタッチコントロール装置の電子製品である。
請求項３５の発明は、前記電子製品において、該第一タッチコントロールエリアの一端は該第二タッチコントロールエリアの一端と接続されており、該第三タッチコントロールエリアと該第四タッチコントロールエリアの一端は、皆該第一及び第二タッチコントロールエリアと相互に接続されていることを特徴とする請求項３２記載のタッチコントロール装置の電子製品である。
請求項３６の発明は、前記電子製品中において、前記第一及び第二タッチコントロールエリアが縦向きに延伸する長方形を呈しており、前記第三及び第四タッチコントロールエリアは横向きに延伸する長方形を呈していることを特徴とする請求項３４或いは請求項３５記載のタッチコントロール装置の電子製品である。
請求項３７の発明は、前記電子製品において、前記第一タッチコントロールエリア及び第二タッチコントロールエリアには複数の横向きのスキャニングラインを具有し、且つ前記第三タッチコントロールエリア及び前記第四タッチコントロールエリアには複数の縦向きのスキャニングラインを具有することを特徴とする請求項３６記載のタッチコントロール装置の電子製品である。
【０００９】
請求項３８の発明は、前記電子製品において、前記タッチコントロールユニットには更に第五タッチコントロールエリアと第六タッチコントロールエリアとを具有し、
前記第五タッチコントロールエリアには上向きの移動と該上向きとは逆の下向きの移動方向が定義されており、前記第六タッチコントロールエリアには左向きの移動と該左向きとは逆の右向きの移動方向が定義されており、前記物体が該ウィンドウ画面を上向きの移動方向に沿って移動するとき、前記演算ユニットは該ウィンドウ画面を上向きにスクロールさせる第一コントロールシグナルを生じ、前記伝送インターフェイスの第一伝送ケーブルを経て該ホストにまで伝送し、該物体が該第五タッチコントロールエリア上で該下向きの方向に沿って移動するとき、該演算ユニットは該ウィンドウ画面を下向きにスクロールさせる第二コントロールシグナルを生じ、該伝送インターフェイスの第二伝送ケーブルを経て該ホストにまで伝送し、該物体が該第六タッチコントロールエリア上で該左方向に沿って移動するとき、該演算ユニットは該ウィンドウ画面を左向きにスクロールさせる第三コントロールシグナルを生じ、該伝送インターフェイスの第三伝送ケーブルを経て該ホストにまで伝送し、該物体が該第六タッチコントロールエリア上で該右向きの方向に沿って移動するとき、該演算ユニットは該ウィンドウ画面を右向きにスクロールさせる第四コントロールシグナルを生じ、該伝送インターフェイスの第四伝送ケーブルを経て該ホストにまで伝送することを特徴とする請求項３０記載のタッチコントロール装置の電子製品である。
請求項３９の発明は、前記電子製品において、前記第五タッチコントロールエリアは縦向きに延伸する長方形を呈しており、該第六タッチコントロールは横向きに延伸する長方形を呈していることを特徴とする請求項３８記載のタッチコントロール装置の電子製品である。
請求項４０の発明は、前記電子製品において、該第五タッチコントロールエリアの一端は該第六タッチコントロールエリアと接続されていることを特徴とする請求項３９記載のタッチコントロール装置の電子製品である。
請求項４１の発明は、前記電子製品において、該第五タッチコントロールエリアの一端は、該第六タッチコントロールエリアの略中間個所にて接続されていることを特徴とする請求項３９或いは請求項４０記載のタッチコントロール装置の電子製品である。
請求項４２の発明は、前記電子製品において、前記第五タッチコントロールエリアには複数の横向きのスキャニングラインを具有し、且つ該第六タッチコントロールエリアには複数の縦向きのスキャニングラインを具有することを特徴とする請求項３９記載のタッチコントロール装置の電子製品である。
請求項４３の発明は、前記電子製品において、前記タッチコントロールユニットには更に第六タッチコントロールエリアを具有し、前記第六タッチコントロールユニットには左向きの移動と該左向きとは逆の右向きの移動が定義されており、前記物体が該第六タッチコントロールエリア上で該左向きの方向に沿って移動するとき、前記演算ユニットは該ウィンドウ画面を左向きにスクロールさせる第三コントロールシグナルを生じ、該伝送インターフェイスの第三伝送ケーブルを経て該ホストにまで伝送し、該物体が該第六タッチコントロールエリア上で該右向きに沿って移動するとき、該演算ユニットは該ウィンドウ画面を右向きにスクロールさせる第四タッチコントロールシグナルを生じ、該伝送インターフェイスの第四伝送ケーブルを経て該ホストにまで伝送することを特徴とする請求項３１記載のタッチコントロール装置の電子製品である。
請求項４４の発明は、前記電子製品において、前記第一タッチコントロールエリアと前記第二タッチコントロールエリアは並列して縦向きに延伸する長方形を呈しており、前記第六タッチコントロールエリアは該第一タッチコントロールエリアと第二タッチコントロールエリア間にて横向きに延伸することを特徴とする請求項４３記載のタッチコントロール装置の電子製品である。
請求項４５の発明は、前記電子製品において、前記第六タッチコントロールエリアの両端は、それぞれ前記第一タッチコントロールエリアと前記第二タッチコントロールエリアの同一側の一端に接続されることを特徴とする請求項４４記載のタッチコントロール装置の電子製品である。
請求項４６の発明は、前記電子製品において、前記第一タッチコントロールエリアと該第二タッチコントロールラインには複数の横向きのスキャニングラインを具有し、且つ該第六タッチコントロールエリアには複数の縦向きのスキャニングラインを具有することを特徴とする請求項４４記載のタッチコントロール装置の電子製品である。
請求項４７の発明は、前記電子製品において、前記コントロールシグナルには少なくとも一つのパルスを具有するパルスシグナルであることを特徴とする請求項３０記載のタッチコントロール装置の電子製品である。
請求項４８の発明は、前記電子製品において、前記演算ユニットは該物体の該タッチコントロールユニット上における移動量を対応するコントロールシグナル中にアウトプットすることを特徴とする請求項４６記載のタッチコントロール装置の電子製品である。
請求項４９の発明は、前記電子製品において、該演算ユニットがアウトプットするコントロールシグナル内のパルス数は該物体の該タッチコントロールユニット上における移動量の増加によって増加することを特徴とする請求項４７記載のタッチコントロール装置の電子製品である。
請求項５０の発明は、前記電子製品において、該パルスシグナルは直角パルスによるシグナルであることを特徴とする請求項４６記載のタッチコントロール装置の電子製品である。
【発明の効果】
【００１０】
本発明によると、タッチコントロール装置で複数の伝送ケーブルを具有する伝送インターフェイスを提供し、且つ各該伝送ケーブルにより相対する第一，第二，第三，第四コントロールシグナルを伝送すると共にパルス方式で該ウィンドウ画面を異なる方向へ移動させるため、複雑なパケット伝送方式を採らなくとも簡単なタッチコントロール装置内部の回路設計で実用性を高めることに成功した。
【発明を実施するための最良の形態】
【００１１】
本発明の実施例を図面に沿って説明すると、図３に示すように、本発明のタッチコントロール装置４における第一実施例は、ホスト５に接続されており、該ホスト５内にはオペレーティングシステム５１及びウィンドウ画面５２が設けられている。該実施例にはタッチコントロールユニット４１及び電気的に該タッチコントロールユニット４１と接続される演算ユニット４２並びに伝送インターフェイス４３が設けられており、該伝送インターフェイス４３には四つの伝送ケーブル４３１，４３２，４３３，４３４が設けられており、該伝送ケーブル４３１，４３２，４３３，４３４の各至端は該演算ユニット４２に電気的に接続されており、且つもう一端が該ホスト５上に電気的に接続されるものとする。該タッチコントロールユニット４１は物体（図中なし）が接触すると、タッチシグナル１００を生じ、該演算ユニット４２は該タッチシグナル１００を受信すると該物体が該タッチコントロールユニット４１上でゆれた位置の差異に応じてコントロールシグナル２００を生じ、該演算ユニット４２が発するコントロールシグナル２００は、更に異なるタッチ位置により、それぞれ第一コントロールシグナル２０１，第二コントロールシグナル２０２，第三コントロールシグナル２０３，第四コントロールシグナル２０４に分けられるが、これらはそれぞれ対応する伝送ケーブル４３１，４３２，４３３，４３４によって該ホスト５にまで伝送される。
【００１２】
図４，５に示すように、上述の該実施例中では該タッチコントロールユニット４１は電気抵抗式や電量式、または光感式などといったタッチコントロール装置とし、且つ第一タッチコントロールエリア４１１，第二タッチコントロールエリア４１２，第三タッチコントロールエリア４１３，第四タッチコントロールエリア４１４を具有する。該第一及び第二タッチコントロールエリア４１１，４１２はその形状が縦向きに延伸する長方形であり、該第三及び第四タッチコントロールエリア４１３，４１４は横向きに延伸する長方形を呈しているものとし、これらが図４に示すような四角形で該タッチコントロール装置４を囲っている状態となる。また該タッチコントロールエリア４１１，４１２，４１３，４１４は図５のように配列された十字型としてもよく、該第一タッチコントロールエリア４１１の一端を該第二タッチコントロールエリア４１２の一端と接続し、該代参タッチコントロールエリア４１３を該第四タッチコントロールエリア４１４の一端と接続し、該第三タッチコントロールエリア４１３と第四タッチコントロールエリア４１４の一端は皆、該第一タッチコントロールエリア４１１及び該第二タッチコントロールエリア４１２と接続されているものとする。特に物体がタッチコントロールユニット４１で移動する方法をドラッグやタップ或いはダブルタップによって移動するものとし、且つ該タッチコントロールエリア４１１，４１２，４１３，４１４の配置方法は自由に変化させてもよく、この点においては公知の技術の領域となるため敢えて詳細な説明を加えない。
【００１３】
図３，４に示すように、該演算ユニット４２が第一タッチコントロールエリア４１１より発生するタッチシグナル１００を受信するとき、これに対応した第一コントロールシグナル２０１を生じ、伝送インターフェイス４３中の第一伝送ケーブル４３１を経て該ホスト５に伝送される。該演算ユニット４２が該第二タッチコントロールエリア４１２で発生するタッチシグナル１００を受信すると、これに対応して該第二コントロールシグナル２０２が生じ、伝送インターフェイス４３の第二伝送ケーブル４３２を経て該ホスト５にまで伝送される。該演算ユニット４２が第三タッチコントロールエリア４１３で発生するタッチシグナル１００を受信すると、これに対応した該第三タッチコントロールシグナル２０３が生じ、該伝送インターフェイス４３の第三伝送ケーブル４３３によって該ホスト５にまで伝送される。該演算ユニット４２が該第四タッチコントロールエリア４１４のタッチシグナル１００を受信すると、これに対応した第四コントロールシグナル２０４が該伝送インターフェイス４３の第四伝送ケーブル４３４によって該ホスト５にまで伝送される。
【００１４】
図３，６に示すように、該第一及び第二タッチコントロールエリア４１１，４１２には複数の横向きスキャニングラインを具有し、且つ該第三及び第二タッチコントロールエリア４１３，４１４には複数の縦向きスキャニングラインを具有するため、横向きでも縦向きにでもスキャナを行うことが可能であり、また該スキャニングラインは間隔を開けて配列され、物体の移動を感知してタッチシグナル１００を生ずるものとする。該実施例中では、該演算ユニットが異なるタッチコントロールエリア４１１，４１２，４１３，４１４のタッチシグナル１００を受信すると、これに対応した第一，第二，第三，第四の各コントロールシグナル２０１，２０２，２０３，２０４を生じ、且つ異なる伝送ケーブル４３１，４３２，４３３，４３４によって該ホスト５にまで伝送され、図７に示すように全てのコントロールシグナル２００は皆パルスシグナルであり、本考案では該コントロールシグナル２００は直角パルスによるシグナルとなっているがその他の類似するパルスシグナルであってもよく、上述に限られるものではない。
【００１５】
よって、該ホスト５のオペレーティングシステム５１がコントロールシグナル２００を受信すると、該受信したコントロールシグナル２００が物体が複数のスキャニングライン上で連続して生ずる直角パルスによるシグナルのパルス幅によって該ウィンドウ画面５２の移動する距離が決定する。該ホスト５のオペレーティングシステム５１がコントロールシグナル２００を受信した後はパルスシグナルに変換され、該オペレーティングシステム５２は該シグナル２００を設定した移動単位に変換する（例えば該ウィンドウ画面５２の一行或いは一段落、または一ページなどの距離）。また本実施例中では該演算ユニット４２よりアウトプットされる第一コントロールシグナル２０１を該ウィンドウ画面５２で上方へスクロールし、該第二コントロールシグナル２０２では該ウィンドウ画面５２を下へスクロールし、該第三コントロールシグナル２０３では該ウィンドウ画面５２を左向きにスクロールし、該第四コントロールシグナル２０４では該ウィンドウ画面５２を右向きにスクロールすることができるようになっている。
【００１６】
図３，４，６に示すように、使用者の指やタッチコントロール装置専用のペンなどで該第四タッチコントロールエリア４１４にてドラッグさせるとき、該タッチコントロールユニット４１と接続された演算ユニット４２が該タッチコントロールユニット４１で発生したタッチシグナル１００を受信し、次に該演算ユニット４２がこれを該第四コントロールシグナル２０４に転換し、該伝送ケーブル４３４によって該第四コントロールシグナル２０４を該ホスト５にまで伝送する。該ホスト５内部のオペレーティングシステム５１が該ウィンドウ画面５２の第一スクロールバー５２１に対応した計算を行い、該ドラッグ動作により移動した距離△×を該第一スクロールバー５２１が右向きに移動すべき距離△ｄに変換する。
該第二スクロールバー５２２を移動しようとする場合には、上述と同様の手順によるが、異なる点は使用者が指或いは専用のペンなどである物体を該第一，第二タッチコントロールエリア４１１，４１２上にて一定の距離をドラッグした後、該演算ユニット４２がこれを第一，第二コントロールシグナル２０１，２０２に変換し、該伝送ケーブル４３１，４３２で該ホスト５にまで伝送し、上向き或いは下向きに該ウィンドウ画面５２を移動させることにある。
【００１７】
図８，９に示すように、本発明におけるタッチコントロール装置２における第二実施例では、その大部分が上述の第一実施例と等しいが、異なる点において以下に述べる。先ず、該タッチコントロール装置２の第二実施例におけるタッチコントロールユニット２１には第五タッチコントロールエリア２１１及び第六タッチコントロールエリア２１２が設けられている。
該第五タッチコントロールエリア２１１は縦向きに延伸する長方形を呈しており、且つ複数の横向きのスキャニングラインが設けられており、該第五タッチコントロールエリア２１１には上方向への移動及び該上方向への移動とは逆の下方向への移動が定義されている。
該第六タッチコントロールエリア２１２は横向きに延伸する長方形を呈しており、該第五タッチコントロールエリア２１１の一端と接続されており、該第六タッチコントロールエリア２１２には複数の縦向きのスキャニングラインが設けられており、該第六タッチコントロールエリア２１２には左方向への移動及び該左方向とは逆の右方向への移動が定義されている。
前記物体が該第五タッチコントロールエリア２１１上にて上方向に沿って移動するとき、該演算ユニット２２は該ウィンドウ画面３２を上方向へスクロールさせる第一コントロールシグナル２０５を生じ、該伝送インターフェイス２３の第一伝送ケーブル２３１によってホスト３にまで伝送される。また物体が該第五タッチコントロールエリア上で下方向へ沿って移動する際は、該演算ユニット２２は該ウィンドウ画面３２を下向きにスクロールさせる第二コントロールシグナル２０６を生じ、該伝送インターフェイス２３の第二伝送ケーブル２３１によって該ホスト３にまで伝送される。物体が該第六タッチコントロールエリア２１２上で左方向に沿って移動する際には、該演算ユニット２２は該ウィンドウ画面３２を左に向かってスクロールさせる第三コントロールシグナル２０７を生じ、該伝送インターフェイス２３の第三伝送ケーブル２３３によって該ホスト３にまで伝送する。また物体が該第六タッチコントロールエリア２１２上にて右側方向に沿って移動する際、該演算ユニット２２が該ウィンドウ画面３２を右方向にスクロールさせる第四コントロールシグナル２２を生じ、ギア伝送インターフェイス２３の第四伝送ケーブル２３４によって該ホスト３にまで伝送される。
【００１８】
図１０に示すように、該第六タッチコントロールエリア２１２は該第一タッチコントロールエリア２１３と該第二タッチコントロールエリア２１４と相互に組み合わされて、略Ｕの字型を呈しており、該第一タッチコントロールエリア２１３と該第二タッチコントロールエリア２１４は相互に並列されて立て向きに延伸する長方形となっており、該第六タッチコントロール襟名２１２は該第一，第二タッチコントロールエリア２１３，２１４の間で横向きに延伸する長方形を呈しており、且つ該第六タッチコントロールエリア２１２の両端はそれぞれ該第一タッチコントロール２１３と該第二タッチコントロールエリア２１４における同側の一端と接続されるものとする。
【図面の簡単な説明】
【００１９】
【図１】公知におけるタッチコントロールパネルにおける外観図であり、第一スクロールバー及び第二スクロールバーを具有する様子を示す図である。
【図２】公知構造における回路のブロックチャートであり、タッチコントロールパネルがパケットプロセッサでパケットシグナルを伝送する方式によりウィンドウ画面を移動させる様子を示す図である。
【図３】本発明の第一実施例における回路のブロックチャートであり、同時に四本の伝送ケーブルを具有し、且つ各伝送ケーブルの両端をそれぞれ演算ユニット及びホストに電気的に接続した状態を示す図である。
【図４】本発明の第一実施例におけるタッチコントロールユニットの配列方法を示す図である。
【図５】本発明の第一実施例におけるタッチコントロールユニットのもう一つの配列方法を示す図である。
【図６】本発明の第一実施例におけるタッチコントロールユニット上の移動距離△×がウィンドウ画面上で相対して移動する距離△ｄを示す図である。
【図７】本発明の第一実施例におけるパルス方式でウィンドウ画面を移動させる様子を示す図である。
【図８】本発明の第二実施例において、四本の伝送ケーブルを具有し、該伝送ケーブルの両端がそれぞれ該タッチコントロールユニット及びホストに電気的に接続される様子を示す図である。
【図９】本発明の第二実施例において、タッチコントロールユニットの配列方式の例を示す図である。
【図１０】本発明の第二実施例において、タッチコントロールユニットのもう一つの配列方式の例を示す図である。
【符号の説明】
【００２０】
８  ポインタ
９  一般のソフト
９１  ウィンドウ画面
９２  第一スクロールバー
９３  第二スクロールバー
６  タッチコントロールユニット
６０  タッチシグナル
７  パケットプロセッサ
８  オペレーティングシステム
８０  座標位置
１００  タッチシグナル
２００  コントロールシグナル
２０１，２０５  タッチコントロールシグナル
２０２，２０６  第一タッチコントロールシグナル
２０３，２０７  第二タッチコントロールシグナル
２０４，２０８  第四タッチコントロールシグナル
２，４  タッチコントロール装置
２１，４１  タッチコントロールユニット
２１１  第五タッチコントロールエリア
２１２  第六タッチコントロールエリア
２１３，４１１  第一タッチコントロールエリア
２１４，４１２  第二タッチコントロールエリア
２２，４２  演算ユニット
２３，４３  伝送インターフェイス
２３１，２３２，２３３，２３４，４３１，４３２，４３３，４３４  伝送ケーブル
３，５  ホスト
３１，５１  オペレーティングシステム
３２，５２  ウィンドウ画面
４１３  第三タッチコントロールエリア
４１４  第四タッチコントロールエリア
５２１  第一スクロールバー
５２２  第二スクロールバー
【図１】
2005202718.tif 000003
【図２】
2005202718.tif 000004
【図３】
2005202718.tif 000005
【図４】
2005202718.tif 000006
【図５】
2005202718.tif 000007
【図６】
2005202718.tif 000008
【図７】
2005202718.tif 000009
【図８】
2005202718.tif 000010
【図９】
2005202718.tif 000011
【図１０】
2005202718.tif 000012